(57)【特許請求の範囲】
【請求項１】
枠体の表裏面に面材を貼着一体化するとともに、前記面材の少なくとも片面に、屈曲する切欠き溝で囲まれた少なくとも１つの切出し片を有する板状体と、
取っ手本体の対向する両側面のうち、一方の側面の両側縁部から一対の腕部が側方かつ線対称に延在するとともに、残る他方の側面に、前記側方に交差する方向に沿う係合溝を有する取っ手と、からなり、
前記切出し片の外周縁部に対向する前記切欠き溝の外側縁部のうち、中央に位置する前記外側縁部に、前記取っ手本体の前記係合溝が係合した構造を有する一方、
前記切出し片の外周縁部である前記切欠き溝の内側縁部のうち、対向する両側に位置する前記内側縁部に、前記腕部の下端面がそれぞれ係合した構造を有することにより、
前記外側縁部と前記内側縁部との間に段差を有することを特徴とする取っ手の取付構造。
【請求項２】
前記腕部の裏面側に位置する下端面を円弧面としたことを特徴とする請求項１に記載の取っ手の取付構造。
【請求項３】
前記切欠き溝が正面コ字形状であるとともに、前記取っ手が正面コ字形状であることを特徴とする請求項１または２に記載の取っ手の取付構造。
【請求項４】
前記切欠き溝が正面Ｃ字形状であるとともに、前記取っ手が正面Ｃ字形状であることを特徴とする請求項１または２に記載の取っ手の取付構造。
【請求項５】
前記取っ手本体および前記腕部の表面側の外周縁部に沿って、前記切欠き溝の一方の縁部に係合する係合リブを突設したことを特徴とする請求項１ないし４のいずれか１項に記載の取っ手の取付構造。
【発明の詳細な説明】
【技術分野】
【０００１】
本発明は取っ手の取付構造、特に、フラッシュ構造の折戸に取り付ける取っ手の取付構造に関する。
【背景技術】
【０００２】
従来、取っ手の取付構造としては、例えば、「開口部の上枠に設けられたガイドレールと、一対の戸パネルの互いに近接する内端側同士を回動自在に連結して折り畳み開閉可能に構成され、且つ前記開口部内に開閉可能に配置される折戸と、前記戸パネルの外端側上部に取り付けられ、該戸パネルを回動自在に吊持する軸部を備えると共に、前記ガイドレールに沿って移動することにより前記折戸を折り畳み可能に吊持する吊持部材と、前記折戸を開閉する際に掴持される略Ｌ字状の取手とで構成された折戸構造であって、前記略Ｌ字状の取手が、前記戸パネル表面における吊持部材の軸部の軸線よりも外端側に突設された短尺の基部と、前記基部の先端に取り付けられ、前記吊持部材の軸部の軸線を越えるように前記戸パネルの内端側に向けて前記戸パネル表面に略平行するよう水平に延ばされた長尺の掴持部とで構成されていることを特徴とする折戸構造」がある（特許文献１参照）。
【先行技術文献】
【特許文献】
【０００３】
【特許文献１】特許５４５０９７７号公報
【発明の概要】
【発明が解決しようとする課題】
【０００４】
しかしながら、前述の折戸構造では、その図１に示すように、前記取手５０の掴持部５４が折戸１２の表面から突出しているので、衣服等が引っ掛かりやすい。
また、取付強度を確保するために折戸１２の縁部に配置された枠材に取手５０の基部５２を取り付ける必要があり、取付位置が限定され、設計の自由度が小さく、意匠性に乏しいという問題点がある。
本発明は、前記問題点に鑑み、衣装等が引っかかりにくく、取付位置の選択範囲が広く、意匠性に優れた取っ手の取付構造を提供することを課題とする。
【課題を解決するための手段】
【０００５】
本発明に係る取っ手の取付構造は、前記課題を解決するため、枠体の表裏面に面材を貼着一体化するとともに、前記面材の少なくとも片面に、屈曲する切欠き溝で囲まれた少なくとも１つの切出し片を有する板状体と、取っ手本体の対向する両側面のうち、一方の側面の両側縁部から一対の腕部が側方かつ線対称に延在するとともに、残る他方の側面に、前記側方に交差する方向に沿う係合溝を有する取っ手と、からなり、前記切出し片の外周縁部に対向する前記切欠き溝の外側縁部のうち、中央に位置する前記外側縁部に、前記取っ手本体の前記係合溝が係合した構造を有する一方、前記切出し片の外周縁部である前記切欠き溝の内側縁部のうち、対向する両側に位置する前記内側縁部に、前記腕部の下端面がそれぞれ係合した構造を有することにより、前記外側縁部と前記内側縁部との間に段差を有する構成としてある。
【発明の効果】
【０００６】
本発明によれば、取っ手本体が前記板状体の中に埋設されるので、従来例のように衣服等が引っかかることがなく、使い易い取っ手の取付構造が得られる。
また、取っ手を取り付けるための切欠き溝を面材の任意の位置に設けることができ、選択の範囲が広く、設計の自由度が大きいので、意匠性に優れた取っ手の取付構造が得られる。
【０００７】
本発明の実施形態としては、前記腕部の裏面側に位置する下端面を円弧面に形成しておいてもよい。
本実施形態によれば、切欠き溝の対向する縁部のうち、片側の縁部が前記腕部の下端面である円弧面に沿って湾曲するので、前記取っ手と面材との間に隙間が生ぜず、塵埃の侵入を防止できるとともに、優美な取っ手の取付構造が得られる。
【０００８】
本発明の他の実施形態としては、前記切欠き溝が正面コ字形状であるとともに、前記取っ手が正面コ字形状であってもよい。
本実施形態によれば、設計の自由度が広がり、意匠性に優れた取っ手の取付構造が得られる。
【０００９】
本発明の別の実施形態としては、前記切欠き溝が正面Ｃ字形状であるとともに、前記取っ手が正面Ｃ字形状であってもよい。
本実施形態によれば、設計の自由度が広がり、意匠性に優れた取っ手の取付構造が得られる。
【００１０】
本発明の異なる実施形態としては、前記取っ手本体および前記腕部の表面側の外周縁部に沿って、前記切欠き溝の一方の縁部に係合する係合リブを突設してもよい。
本実施形態によれば、面材に取っ手を強固に取り付けることができ、取っ手がより一層、脱落しにくくなるとともに、面材と取っ手との隙間を目隠しでき、美麗な取っ手の取付構造が得られるという効果がある。
【図面の簡単な説明】
【００１１】
【図１】図Ａは本発明に係る取っ手の取付構造の第１実施形態を示す正面図、図Ｂは切欠き溝を設けた面材の部分拡大図、図Ｃ，Ｄは図Ａに示したＣ−Ｃ線、Ｄ−Ｄ線の部分断面図である。
【図２】図Ａ，Ｂは図１で示した取っ手の正面図および平面図、図Ｃは図Ａに示したＣ−Ｃ線の断面図である。
【図３】図Ａ，Ｂは図３で示した取っ手の背面図および斜視図である。
【図４】図Ａ，Ｂは図３で示した取っ手の左側面図および右側面図である。
【図５】図Ａ，Ｂは本発明に係る取っ手の取付構造の第２，第３実施形態を示す正面図である。
【発明を実施するための形態】
【００１２】
本発明に係る取っ手の取付構造の実施形態を図１ないし図５の添付図面に従って説明する。
第１実施形態に係る取っ手の取付構造は、図１ないし図４に示すように、一体にスライド移動でき、かつ、回動可能に連結された一対の折戸１０，１０のうち、その隣り合う内側縁部に取っ手２０，２０をそれぞれ取り付けた取付構造である。
なお、以下の説明では、図面に表された構成を説明するうえで、「上」、「下」、「左」、「右」等の方向を示す用語、及びそれらを含む別の用語を使用するが、それらの用語を使用する目的は図面を通じて実施形態の理解を容易にするためである。したがって、それらの用語は本発明の実施形態が実際に使用されるときの方向を示すものとは限らないし、それらの用語によって特許請求の範囲に記載された発明の技術的範囲が限定的に解釈されるべきでない。
【００１３】
前記折戸１０は、方形の枠体１１の表裏面に面材１６を貼着一体化したフラッシュ構造を有する板状体である。前記枠体１１は、上框１２、下框１３および竪框１４からなり、前記竪框１４，１４の間には横桟１５が架け渡されている。
また、前記面材１６には略コ字形状の切欠き溝１７をそれぞれ設けることにより、切出し片１８を形成してある（図１Ｂ）。
【００１４】
前記取っ手２０は、図２ないし図４に示すように、取っ手本体２１の両端縁部から一対の腕部２２，２２を平行に延在してあるとともに、前記取っ手本体２１および前記腕部２２，２２の上面縁部に沿って略コ字形状の係合リブ２３を突設してある。そして、前記腕部２２の下端面は円弧面２２ａとなっている。
また、前記取っ手本体２１は、その対向面のうち、一方の対向面の前記係合リブ２３の基部に係合溝２４を設けてあるとともに、残る他方の対向面の上方縁部に指をかけるための突条２５を設けてある。前記係合溝２４の底面には凹凸面２４ａを形成してある。
【００１５】
次に、前記折戸１０に前記取っ手２０を取り付け方法について説明する。
まず、上框１２、下框１３および竪框１４を組み付けるとともに、前記竪框１４，１４の間に横桟１５を架け渡して枠体１１を形成する。そして、略コ字形状の切欠き溝１７を設けた面材１６を前記枠体１１に貼着一体化する。
ついで、前記面材１６の切出し片１８（図１Ｂ）を押し下げ、取っ手２０の係合溝２４を前記切欠き溝１７の縁部１７ａに係合する。一方、前記切出し片１８の縁部１８ａのうち、対向する位置にある縁部１８ａを取っ手２０の腕部２２の円弧面２２ａに沿って係合することにより、前記切出し片１８を湾曲させる（図１Ｃ）。さらに、前記切出し片１８の残る縁部１８ａを取っ手本体２１の下面に係止する（図１Ｄ）。そして、前記取っ手２０の係合リブ２３を前記切欠き溝１７の縁部１７ａ全体に係合することにより、組立作業が完了する。
【００１６】
前述の実施形態では、前記切欠き溝１７の縁部１７ａおよび切出し片１８の縁部１８ａに、接着剤を介し、取っ手２０を接着一体化してもよい。また、前記面材１６の裏面に形成された内部空間に、例えば、ウレタン発泡体を充填し、前記切出し片１８を裏面側から圧迫してもよい。これらにより、前記切出し片１８のいわゆるバタツキを防止できるだけでなく、前記取っ手２０の取付強度が高くなり、脱落を防止できるという利点がある。
【００１７】
本実施形態によれば、切出し片１８が腕部２２の円弧面２２ａに沿って湾曲するので、緩やかな円弧面を備えた優美な取っ手の取付構造が得られる。
【００１８】
本願発明に係る取っ手の取付構造は、前述の第１実施形態に係る略コ字形状の取っ手２０に限らず、図５Ａに示すように、略Ｃ字形状の取っ手２９を取り付けてもよい（第２実施形態）。
また、取っ手２０の取付け方向は、線対称に限らず、図５Ｂに示すように、点対称に取り付けてもよいことは勿論である。
【００１９】
なお、複数個の取っ手２０，２９を取り付ける場合に限らず、少なくとも１個の取っ手２０，２９を取り付ければよく、必要に応じて、取付個数、取付位置を適宜選択できることは勿論である。
また、前記取っ手２０は、金属製に限らず、硬質樹脂製、軟質樹脂製および木材製であってもよいことは勿論である。
【産業上の利用可能性】
【００２０】
本発明に係る取っ手の取付構造は、前述の折戸に限らず、例えば、引戸、開きドアに適用してもよい。
また、前記切欠き溝を正面Ｌ字形状とする一方、前記取っ手を正面Ｌ字形状としてもよいことは勿論である。
【符号の説明】
【００２１】
１０  折戸
１１  枠体
１２  上框
１３  下框
１４  竪框
１５  横桟
１６  面材
１７  切欠き溝
１７ａ  縁部
１８  切出し片
１８ａ  縁部
２０  取っ手
２１  取っ手本体
２２  腕部
２２ａ  円弧面
２３  係合リブ
２４  係合溝
２４ａ  凹凸面
２５  突条
２９  取っ手
【要約】      （修正有）【課題】衣装等が引っかかりにくく、取付位置の選択が広く、意匠性に優れた取っ手の取付構造を提供する。【解決手段】枠体１１の表裏面に面材１６を貼着一体化し、前記面材１６に屈曲した切欠き溝１７を設けた折戸１０と、取っ手本体２１の対向する両側面のうち、一方の側面に前記切欠き溝１７の一方の縁部に係合する係合溝２４を有するとともに、取っ手本体２１の少なくとも一端から前記切欠き溝１７の他方の縁部に係合して位置規制する腕部２２を延在した取っ手２０とで構成してあり、前記面材１６に設けた前記切欠き溝１７の一方の縁部に、前記取っ手２０の前記係合溝２４を係合するとともに、前記切欠き溝１７の他方の縁部１８ａに、前記腕部２２の裏面側に位置する円弧面２２ａを係合して位置規制し、前記切欠き溝１７に係合した一方の縁部１７ａと、前記腕部２２の円弧面２２ａに係合した他方の縁部１８ａとの間に段差を形成した。【選択図】図１【図１】
0005897179.tif 000002
【図２】
0005897179.tif 000003
【図３】
0005897179.tif 000004
【図４】
0005897179.tif 000005
【図５】
0005897179.tif 000006